(57)【特許請求の範囲】
【請求項１】
軸受により回転可能および上下動可能に支持された操作軸と、上記軸受の下方に回転可能に支持され、中心孔を貫通する上記操作軸と回転運動は伝達されるが上下動は伝わらないように係合すると共に、その周囲の円板部の下面にエンコーダ部の可動接点が設けられた回転体と、この回転体の下方に配設され、内底面の中央にスイッチ部の一対の固定接点が設けられ、その周囲の略同一面に上記エンコーダ部の可動接点と係合してパルス信号を発生するエンコーダ部の複数の固定接点が配設されると共に、上方が開口部となった絶縁樹脂製のケースと、上記操作軸の上下動により押されて、上記スイッチ部の一対の固定接点間を短絡するように配設されたスイッチ部の可動接点と、上記操作軸と上記回転体を保持した上記軸受、および上記ケースを同一中心線上に連結固定する手段とを有して、上記スイッチ部の一対の固定接点の一方と上記エンコーダ部の複数の固定接点の一つが、上記ケースの底面において電気的に導通されたプッシュスイッチ付回転型エンコーダであって、上記エンコーダ部の可動接点が上記回転体の中心から同一半径で９０°間隔に配設され電気的に導通した四つの弾性接点であり、この弾性接点が弾接するように上記ケースの内底面に配設された上記エンコーダ部の複数の固定接点が、上記弾性接点と同一半径位置で、９０°よりもパルス信号のオフ角度分だけ小さい同じ角度範囲に、電気的に導通した同数の放射状の櫛歯部をそれぞれ両端部および等角度位置に有すると共に、位相差と上記パルス信号のオフ角度の合計分だけの角度間隔をあけて、互いに電気的に独立して配設された二つの信号用接点、および上記弾性接点と同一半径位置に９０°よりも大きく、上記二つの信号用接点とは電気的に独立して設けられた扇形のコモン接点であって、このコモン接点が上記スイッチ部の一対の固定接点の一方と上記ケースの底面において電気的に導通されていることを特徴とするプッシュスイッチ付回転型エンコーダ。
【請求項２】
ケース底面の、エンコーダ部の固定接点が配設されない角度範囲の絶縁樹脂内を通して、スイッチ部の一対の固定接点のコモン接点と電気的に導通されない接点を、上記ケース外周の端子まで引き出した請求項１記載のプッシュスイッチ付回転型エンコーダ。
【請求項３】
ケースの底面において電気的に導通された、スイッチ部の一対の固定接点の一方とエンコーダ部のコモン接点が、軸受とケースを連結固定する取付金具の装着用の脚部に導通された請求項１記載のプッシュスイッチ付回転型エンコーダ。
【請求項４】
絶縁樹脂製のケースに配設されるスイッチ部の一対の固定接点とエンコーダ部の複数の固定接点が弾性を有する金属薄板で形成され、スイッチ部の固定接点の一方およびエンコーダ部のコモン接点と一体に形成されて上記ケース外周まで引き出された細長の端子が、取付金具に設けられた装着用の脚部に重なるように弾接し、上記端子と上記脚部が使用機器の配線基板の同一の取付孔に挿入されて半田付け接続される請求項３記載のプッシュスイッチ付回転型エンコーダ。
【発明の詳細な説明】
【０００１】
【発明の属する技術分野】
本発明は、各種電子機器の入力操作部等に使用されるプッシュスイッチ付回転型エンコーダに関するものである。
【０００２】
【従来の技術】
従来のプッシュスイッチ付回転型エンコーダについて、図１２〜図１５を用いて説明する。
【０００３】
図１２は従来のプッシュスイッチ付回転型エンコーダの正面断面図であり、同図において、１は操作軸で、軸受２の円形孔２Ａに上方から挿入されて回転および上下動が可能なように、その中間円形部１Ａを嵌合支持されると共に、下方の非円形部１Ｂは、樹脂形成された回転体３中心の非円形孔３Ａに回転運動は伝達されるが上下動は伝わらないように嵌合して、その下方の溝部に挿入されたワッシャ４により抜け止めされている。
【０００４】
そして、回転体３は、上記の軸受２の下面と下方の接点基板５の間に挟まれて上下方向の位置が決められると共に、上下面中央の円筒部が、軸受２の円形孔２Ａ下端部と接点基板５の円形孔にそれぞれ嵌合して回転可能に支持されており、その周囲の円板部の下面には、図１２のＳ−Ｓ線における断面図である図１３に示すような、円環部６Ａとこれから放射状に突出した複数個の櫛歯部６Ｂからなる可動接点としての接点板６がインサート成形により設けられている。
【０００５】
また、接点基板５は絶縁樹脂で形成され、これにインサート成形固定された固定接点としてのコモン弾性接点７Ａおよび二つの信号用弾性接点７Ｂ，７Ｃが上方に伸ばされ、上記接点板６の円環部６Ａおよび櫛歯部６Ｂにそれぞれ弾接してエンコーダ部の接点部を構成しており、櫛歯部６Ｂに対する信号用弾性接点７Ｂ，７Ｃの弾接位置は回転方向に位相差分だけずれるように設定されている。
【０００６】
そして、接点基板５の一端部からコモン弾性接点７Ａと導通した細長のコモン端子８Ａおよび二つの信号用弾性接点７Ｂ，７Ｃとそれぞれ導通した二つの細長の信号用端子８Ｂ，８Ｃが導出されて下方に折り曲げられている。
【０００７】
さらに、接点基板５の下方にはスイッチ基板９が配設され、その上面中央の凹部９Ａ内には中央固定接点１０Ａおよび外側固定接点１０Ｂがインサート成形により設けられており、外側固定接点１０Ｂ上には弾性金属薄板製のドーム状可動接点１１の外周下端が載せられて、スイッチ接点部を構成していると共に、スイッチ基板９の一端部からは、中央固定接点１０Ａおよび外側固定接点１０Ｂとそれぞれ導通した二つの細長のスイッチ端子１２Ａ，１２Ｂが導出されて下方に折り曲げられている。
【０００８】
そして、ドーム状可動接点１１の上部には、プッシュ板１３を介して操作軸１の下端部１Ｃが当接しており、この状態において、操作軸１の溝部に挿入されたワッシャ４は回転体３下面の凹部天面に当接している。
【０００９】
すなわち、このプッシュスイッチ付回転型エンコーダは、図１４の分解断面図に示すように、操作軸１と回転体３を嵌合保持した軸受２、接点基板５、およびドーム状可動接点１１とプッシュ板１３を載せたスイッチ基板９を重ね合わせて、軸受２の上方からコの字形の取付金具１４で挟み込み、スイッチ基板９の裏面で、爪部１４Ａ（図１２参照）を折り曲げることにより、全体が連結固定されている。
【００１０】
そして、上記の接点基板５から導出されたコモン端子８Ａと二つの信号用端子８Ｂ，８Ｃ、およびスイッチ基板９から導出された二つのスイッチ端子１２Ａ，１２Ｂ、ならびに上記取付金具１４の下端部両側から下方に突出した二つの脚部１４Ｂを、使用機器の配線基板１５の三つの第一取付孔１５Ａ（図示せず）、および二つの第二取付孔１５Ｂ、ならびに二つの第三取付孔１５Ｃにそれぞれ挿入して、合計７ヶ所で半田付け接続することにより、使用機器に装着されるものであった。
【００１１】
次に、このプッシュスイッチ付回転型エンコーダの動作について説明すると、まず、操作軸１の上端部に装着した操作つまみ１６を回転操作すると、操作軸１の回転動作に伴って回転体３が回転させられ、その下面の接点板６に対し、コモン弾性接点７Ａが円環部６Ａ上を、二つの信号用弾性接点７Ｂ，７Ｃが櫛歯部６Ｂ上をそれぞれ弾接摺動して、各弾性接点７Ａと７Ｂおよび７Ｃに導通したコモン端子８Ａと信号用端子８Ｂの間およびコモン端子８Ａと信号用端子８Ｃの間に位相差をもったパルス信号を発生してエンコーダとして機能する。
【００１２】
この時、接点板６の櫛歯部６Ｂに弾接する信号用弾性接点７Ｂと７Ｃの位置ずれによる、端子８Ａ−８Ｂ間と端子８Ａ−８Ｃ間に発生するパルス信号間の位相差を使用機器の回路で検知し、回転操作した方向を認識することができるものであり、また、この回転操作時に操作軸１は上下方向には動かず、スイッチ部は動作しない。
【００１３】
次に、図１５の正面断面図に矢印で示すように、操作軸１の上端部に装着した操作つまみ１６を押圧操作して操作軸１を下方へ動かすと、その下端部１Ｃがプッシュ板１３を介してスイッチ部のドーム状可動接点１１を押して弾性反転させることにより、外側固定接点１０Ｂと中央固定接点１０Ａの間が短絡してスイッチ部が動作し、押圧力を除くと、ドーム状可動接点１１の弾性復元力により元の状態に復帰する。
【００１４】
この時、エンコーダ部の回転体３は下方へは動かず、勿論、回転もしないのでエンコーダ部は動作しないように構成されていた。
【００１５】
【発明が解決しようとする課題】
近年の小型・高密度化した電子機器に使用される電子部品は、小型・安価であると共に、使用機器の配線基板に対する接続部の数を少なくして、装着部を簡素化することが求められているが、上記従来のプッシュスイッチ付回転型エンコーダは、高さ寸法が大きいと共に、使用機器の配線基板１５に対し、合計７ヶ所で半田付け接続する必要があるため、接続部の数が多いという課題があった。
【００１６】
本発明は、このような従来の課題を解決するものであり、高さ寸法が小さく、使用機器の配線基板に対する接続部の数を少なくしたプッシュスイッチ付回転型エンコーダを提供することを目的とする。
【００１７】
【課題を解決するための手段】
上記目的を達成するために本発明は、以下の構成を有するものである。
【００１８】
本発明の請求項１に記載の発明は、軸受により回転可能および上下動可能に支持された操作軸と、上記軸受の下方に回転可能に支持され、中心孔を貫通する上記操作軸と回転運動は伝達されるが上下動は伝わらないように係合すると共に、その周囲の円板部の下面にエンコーダ部の可動接点が設けられた回転体と、この回転体の下方に配設され、内底面の中央にスイッチ部の一対の固定接点が設けられ、その周囲の略同一面に上記エンコーダ部の可動接点と係合してパルス信号を発生するエンコーダ部の複数の固定接点が配設されると共に、上方が開口部となった絶縁樹脂製のケースと、上記操作軸の上下動により押されて、上記スイッチ部の一対の固定接点間を短絡するように配設されたスイッチ部の可動接点と、上記操作軸と上記回転体を保持した上記軸受、および上記ケースを同一中心線上に連結固定する手段とを有して、上記スイッチ部の一対の固定接点の一方と上記エンコーダ部の複数の固定接点の一つが、上記ケースの底面において電気的に導通されたプッシュスイッチ付回転型エンコーダであって、上記エンコーダ部の可動接点が上記回転体の中心から同一半径で９０°間隔に配設され電気的に導通した四つの弾性接点であり、この弾性接点が弾接するように上記ケースの内底面に配設された上記エンコーダ部の複数の固定接点が、上記弾性接点と同一半径位置で、９０°よりもパルス信号のオフ角度分だけ小さい同じ角度範囲に、電気的に導通した同数の放射状の櫛歯部をそれぞれ両端部および等角度位置に有すると共に、位相差と上記パルス信号のオフ角度の合計分だけの角度間隔をあけて、互いに電気的に独立して配設された二つの信号用接点、および上記弾性接点と同一半径位置に９０°よりも大きく、上記二つの信号用接点とは電気的に独立して設けられた扇形のコモン接点であって、このコモン接点が上記スイッチ部の一対の固定接点の一方と上記ケースの底面において電気的に導通されていることを特徴とするプッシュスイッチ付回転型エンコーダとしたものである。当該構成であれば、エンコーダ部の可動接点としての四つの弾性接点、および固定接点としての二つの信号用接点とコモン接点が同一半径上に設けられるので、回転体およびケースを小さい外径寸法にできると共に、二つの信号用接点が位相差分だけの角度間隔をあけて配設されていることによって、使用機器の回路でエンコーダ部の回転方向を認識することができ、さらに、一つのケースの略同一面に配設されたスイッチ部の一対の固定接点の一方とエンコーダ部のコモン接点とがケースの底面においてあらかじめ電気的に導通されているので、高さ寸法が小さいと共に、使用機器の配線基板における接続部の数が少なく配線も簡単なプッシュスイッチ付回転型エンコーダが実現できるという作用効果が得られる。
【００２１】
本発明の請求項２に記載の発明は、請求項１記載の発明において、特に、ケース底面の、エンコーダ部の固定接点が配設されない角度範囲の絶縁樹脂内を通して、スイッチ部の一対の固定接点のコモン接点と電気的に導通されない接点を、上記ケース外周の端子まで引き出したものであり、ケース底面の中央に設けられたスイッチ部の固定接点を、一体形成されたリード部をエンコーダ部の固定接点が配設されない角度範囲を通すことにより、ケース外周の端子まで引き出すことができるので、スイッチ部とエンコーダ部の全ての固定接点およびこれらと導通してケース外周に導出された全ての端子を、同一の金属薄板を打抜き曲げ加工して容易に形成することができて、連続加工もできるという作用効果が得られる。
【００２２】
本発明の請求項３に記載の発明は、請求項１記載の発明において、特に、ケースの底面において電気的に導通された、スイッチ部の一対の固定接点の一方とエンコーダ部のコモン接点が、軸受とケースを連結固定する取付金具の装着用の脚部に導通されたものであり、使用機器の配線基板において、アース回路と接続して使用されることが多い、スイッチ部の一対の固定接点の一方とエンコーダ部のコモン接点および取付金具が、プッシュスイッチ付回転型エンコーダ自体であらかじめ導通されているので、使用機器の配線基板に対する接続部の数が更に少なく、配線もより簡単なプッシュスイッチ付回転型エンコーダを実現できるという作用効果が得られる。
【００２３】
本発明の請求項４に記載の発明は、請求項３記載の発明において、特に、絶縁樹脂製のケースに配設されるスイッチ部の一対の固定接点とエンコーダ部の複数の固定接点が弾性を有する金属薄板で形成され、スイッチ部の一対の固定接点の一方およびエンコーダ部のコモン接点と一体に形成されて上記ケース外周まで引き出された細長の端子が、取付金具に設けられた装着用の脚部に重なるように弾接し、この端子と脚部が使用機器の配線基板の同一の取付孔に挿入されて半田付け接続されるものであり、スイッチ部の一対の固定接点の一方およびエンコーダ部のコモン接点と一体に形成されてケース外周まで引き出された細長の端子を、取付金具の脚部に重なるように弾接させるだけで、構成部材数や組立工数を増やすことなく、使用機器の配線基板に対する接続部の数が少ないプッシュスイッチ付回転型エンコーダを実現できるという作用効果が得られる。
【００２４】
【発明の実施の形態】
以下、本発明の実施の形態について、図１〜図１１を用いて説明する。
【００２５】
なお、従来の技術の項で説明した構成と同一構成の部分には同一符号を付して、詳細な説明を省略する。
【００２６】
（実施の形態１）
実施の形態１によるものについて、以下に図面を用いて説明する。
【００２７】
図１は本発明の第１の実施の形態によるプッシュスイッチ付回転型エンコーダの正面断面図である。
【００２８】
同図に示すように、操作軸２１が、その中間円形部２１Ａを、回転および上下動が可能なように軸受２の円形孔２Ａに嵌合支持されると共に、下方の非円形部２１Ｂが、回転運動は伝達されるが上下動は伝わらないように回転体２２の非円形孔２２Ａに嵌合して、下方の溝部に挿入されたワッシャ４により抜け止めされていることは、従来の技術の場合と同様である。
【００２９】
そして、回転体２２が、上下面の円筒部を軸受２の下面と下方のケース２３の内底面に回転可能に支持されて、その周囲の円板部２２Ｂの下面には、円環部とこれから放射状に突出した複数個の櫛歯部からなる可動接点としての接点板６がインサート成形により設けられ、この接点板６にケース２３の内底面から伸ばされた固定接点としてのコモン弾性接点２４Ａおよび二つの信号用弾性接点２４Ｂ，２４Ｃが弾接してエンコーダ部の接点部を構成している。
【００３０】
そして、上方が開口部となった絶縁樹脂製のケース２３の内底面には、図１のＰ−Ｐ線における断面図である図２に示すように、中央部に、弾性を有する金属薄板で形成されたスイッチ部の一対の固定接点である中央固定接点２５Ａおよび外側固定接点２５Ｂがインサート成形加工により配設・固定されていると共に、その周囲の略同一面には、同一の弾性を有する金属薄板で形成された、上記エンコーダ部の固定接点としての三つの弾性接点２４Ａおよび２４Ｂ，２４Ｃがインサート成形加工により固定されて上方に伸びており、三つの弾性接点２４Ａおよび２４Ｂ，２４Ｃの中で最も中心に近いコモン弾性接点２４Ａが、スイッチ部の一対の固定接点の一方である外側固定接点２５Ｂとケース２３の底面において電気的に導通されている。
【００３１】
そして、ケース２３の外周の一方の端部からは、スイッチ部の中央固定接点２５Ａと導通した細長いスイッチ端子２６と、スイッチ部の外側固定接点２５Ｂおよびエンコーダ部のコモン弾性接点２４Ａと導通した細長い共通端子２７が導出されて下方に折り曲げられており、他方の端部からは、エンコーダ部の二つの信号用弾性接点２４Ｂ，２４Ｃとそれぞれ導通した二つの細長い信号用端子２８Ａ，２８Ｂが導出されて、同様に下方へ折り曲げられている。
【００３２】
また、上記スイッチ部の一対の固定接点の外側固定接点２５Ｂ上に弾性金属薄板製のドーム状可動接点１１が載せられてスイッチ接点部を構成し、ドーム状可動接点１１の上部にプッシュ板１３を介して操作軸２１の下端部２１Ｃが当接しており、この状態において、操作軸２１の溝部に挿入されたワッシャ４が回転体２２下面の凹部天面に当接していることは、従来の技術の場合と同様である。
【００３３】
すなわち、このプッシュスイッチ付回転型エンコーダは、図３の分解断面図に示すように、操作軸２１と回転体２２を嵌合保持した軸受２と、ドーム状可動接点１１とプッシュ板１３を載せたケース２３を重ね合わせて、軸受２の上方からコの字形の取付金具２９で挟み込み、ケース２３の裏面で爪部２９Ａ（図１参照）を折り曲げることにより、全体が連結固定されている。
【００３４】
そして、上記のケース２３から導出されたスイッチ端子２６と共通端子２７、および二つの信号用端子２８Ａ，２８Ｂ、ならびに上記取付金具２９の下端部両側から下方に突出した二つの脚部２９Ｂを、使用機器の配線基板３０の二つの第一取付孔３０Ａ（図示せず）、および二つの第二取付孔３０Ｂ、ならびに二つの第三取付孔３０Ｃにそれぞれ挿入して、合計６ヶ所で半田付け接続することにより、使用機器に装着されるものである。
【００３５】
本実施の形態によるプッシュスイッチ付回転型エンコーダは以上のように構成されるものであるが、その操作軸２１の先端に装着した操作つまみ１６を介して操作する場合の動作は、従来の技術によるものと同じであるので、説明を省略する。
【００３６】
以上のように本実施の形態によれば、スイッチ部の一対の固定接点２５Ａ，２５Ｂとエンコーダ部の三つの固定接点２４Ａおよび２４Ｂ，２４Ｃが一つのケース２３の内底面に配設されると共に、使用機器の配線基板３０において短絡して使用されることが多い、スイッチ部の一対の固定接点の一方である外側固定接点２５Ｂとエンコーダ部の固定接点の一つであるコモン弾性接点２４Ａがケース２３の底面においてあらかじめ電気的に導通されているので、全体の高さ寸法が小さいと共に、使用機器の配線基板３０に接続する端子の数が少なく配線も簡単なプッシュスイッチ付回転型エンコーダを実現できるという効果を有するものである。
【００３７】
（実施の形態２）
実施の形態２によるものについて、以下に図面を用いて説明する。
【００３８】
図４は本発明の第２の実施の形態によるプッシュスイッチ付回転型エンコーダの正面断面図、図５は図４のＱ−Ｑ線における断面図である。
【００３９】
同図に示すように、本実施の形態によるプッシュスイッチ付回転型エンコーダは前記の実施の形態１によるものに対して、ケース３１の内底面に配設・固定されて、スイッチ部の一対の固定接点の一方である外側固定接点３２Ｂおよびエンコーダ部のコモン弾性接点３３Ａと導通した共通端子３５が導出される位置が異なっている。
【００４０】
すなわち、共通端子３５は、ケース３１のスイッチ端子３４および二つの信号用端子３６Ａ，３６Ｂが導出された端部からは導出されずに、取付金具２９の装着用の脚部２９Ｂと同じ位置に導出されて、脚部２９Ｂの内側に重なるように弾接している。
【００４１】
これにより、図４に示すように、共通端子３５と脚部２９Ｂを合わせて使用機器の配線基板３７の第三取付孔３８に挿入して、同時に半田付け接続することができるものである。
【００４２】
そして、その他の部分の構成、および操作つまみ１６を介して操作する場合の動作は実施の形態１によるものと同じである。
【００４３】
このような構成とすることによって、使用機器の配線基板３７において、アース回路と接続して使用されることが多い、スイッチ部の一方の接点である外側固定接点３２Ｂとエンコーダ部のコモン弾性接点３３Ａとの共通端子３５および取付金具２９が、プッシュスイッチ付回転型エンコーダ自体であらかじめ導通されるので、使用機器の配線基板に半田付け接続する端子の数が実施の形態１によるものよりも更に少ない５ヶ所であり、配線もより簡単なプッシュスイッチ付回転型エンコーダを実現できるという効果を有するものである。
【００４４】
（実施の形態３）
実施の形態３によるものについて、以下に図面を用いて説明する。
【００４５】
図６は本発明の第３の実施の形態によるプッシュスイッチ付回転型エンコーダの正面断面図、図７は図６のＲ−Ｒ線における断面図、図８は同エンコーダ部の可動弾性接点の平面図である。
【００４６】
同図に示すように、本実施の形態によるプッシュスイッチ付回転型エンコーダは、操作軸２１の中間円形部２１Ａが回転および上下動が可能なように軸受３９の円形孔３９Ａに嵌合支持されると共に、下方の非円形部２１Ｂが、回転運動は伝達されるが上下動は伝わらないように回転体４０の非円形孔４０Ａに嵌合して、下方の溝部に挿入されたワッシャ４により抜け止めされていることは、前記の実施の形態１によるものと同様であるが、回転体４０およびケース４１の内底面に配設されたエンコーダ部の接点部の構成が異なっている。
【００４７】
すなわち、回転体４０には、図８に示すような、中心から同一半径で９０°間隔に四つの弾性接点４２Ａ〜４２Ｄを有する弾性金属薄板製の可動弾性接点４２が、可動接点として保持されている。
【００４８】
そして、この可動接点が弾接する固定接点として、ケース４１の内底面には、図７に示すような、上記の弾性接点４２Ａ〜４２Ｄと同一半径位置で９０°よりもパルス信号のオフ角度分だけ小さい同じ角度範囲に、電気的に導通した同数の放射状の櫛歯部４３Ａおよび４４Ａをそれぞれ両端部および等角度位置に有すると共に、位相差とパルス信号のオフ角度の合計分だけの角度間隔をあけて、互いに電気的に独立した二つの信号用接点４３および４４と、上記の可動弾性接点４２Ａ〜４２Ｄと同一半径位置に、９０°よりも少し大きい角度で、二つの信号用接点４３，４４とは電気的に独立して設けられた扇形のコモン接点４５が、それぞれ金属薄板で形成されてインサート成形加工により配設・固定されている。
【００４９】
以上のように、本実施の形態におけるエンコーダ部の可動接点である可動弾性接点４２の四つの弾性接点４２Ａ〜４２Ｄと、固定接点としての二つの信号用接点４３，４４およびコモン接点４５が、同一半径上に設けられるので、回転体４０とケース４１および軸受３９を実施の形態１の場合よりも小さい外径寸法とすることができる。
【００５０】
一方、ケース４１の内底面中央部には、実施の形態１の場合と同様の、スイッチ部の一対の固定接点である中央固定接点４６Ａと外側固定接点４６Ｂが、上記エンコーダ部の固定接点と同じ金属薄板で形成されて、インサート成形加工により固定されており、この外側固定接点４６Ｂがエンコーダ部のコモン接点４５とケース４１の底面において電気的に導通している。
【００５１】
そして、ケース４１の外周の一方の端部からはスイッチ部の中央固定接点４６Ａから引き出された細長いスイッチ端子４７と、スイッチ部の外側固定接点４６Ｂおよびエンコーダ部のコモン接点４５と導通した細長い共通端子４８が導出されて下方に折り曲げられており、他方の端部からはエンコーダ部の二つの信号用接点４３，４４とそれぞれ導通した二つの細長い信号用端子４９Ａ，４９Ｂが導出されて、同様に下方へ折り曲げられている。
【００５２】
ここで、上記のスイッチ部の中央固定接点４６Ａから引き出されたスイッチ端子４７は、金属薄板で一体形成されたリード部５０を、スイッチ部の固定接点である中央固定接点４６Ａおよび外側固定接点４６Ｂの周囲の、エンコーダ部の固定接点である信号用接点４３，４４およびコモン接点４５が配設されない部分を通して引き出したものであるが、本実施の形態の場合、ケース４１の底面に配設されるエンコーダ部の二つの信号用接点４３，４４およびコモン接点４５が、上述のように、いずれも同じ半径で約９０°の角度範囲に設けられるものであるから、これらを信号用接点４３に近い位置に集めて配置することによって、エンコーダ部の固定接点が配設されない部分を大きな角度で、容易に確保することができる。
【００５３】
従って、図９の固定接点部を打抜き加工した金属薄板の平面図に示すように、エンコーダ部のそれぞれの固定接点４３，４４，４５と、スイッチ部のそれぞれの固定接点４６Ａ，４６Ｂ、およびこれらと導通した各端子４９Ａ，４９Ｂ，４７，４８ならびにリード部５０を、同一の金属薄板を打抜き曲げ加工して容易に形成することができると共に、フープ状に連続した形状で加工することもできる。
【００５４】
そして、上記スイッチ部の一対の固定接点である外側固定接点４６Ｂ上に弾性金属薄板製のドーム状可動接点１１が載せられてスイッチ接点部を構成すると共に、ドーム状可動接点１１の上部にプッシュ板１３を介して操作軸２１の下端部２１Ｃが当接して、操作軸２１の溝部に挿入されたワッシャ４が回転体４０下面の凹部天面に当接しており、軸受３９の上方からコの字形の取付金具５１で挟み込んでケース４１の裏面で爪部５１Ａを折り曲げることによって、全体が連結固定されていることは、実施の形態１の場合と同様である。
【００５５】
そして、上記のケース４１から導出されたスイッチ端子４７と共通端子４８、および二つの信号用端子４９Ａ，４９Ｂ、ならびに上記取付金具５１の下端部両側から下方に突出した二つの脚部５１Ｂを、使用機器の配線基板５２の二つの第一取付孔５２Ａ（図示せず）、および二つの第二取付孔５２Ｂ、ならびに二つの第三取付孔５２Ｃにそれぞれ挿入して、合計６ヶ所で半田付け接続することにより、使用機器に装着されるものである。
【００５６】
次に、本実施の形態によるプッシュスイッチ付回転型エンコーダの動作について説明する。
【００５７】
まず、エンコーダ部について説明すると、図７と図８を組合せたエンコーダ部の接点部の平面図である図１０に示す状態において、回転体４０に保持された可動弾性接点４２の四つの弾性接点４２Ａ〜４２Ｄはケース４１の内底面に対し、弾性接点４２Ａが信号用接点４３の櫛歯部４３Ａに、弾性接点４２Ｂが信号用接点４４の絶縁部に、弾性接点４２Ｃがケース４１内底面の絶縁樹脂部に、弾性接点４２Ｄがコモン接点４５にそれぞれ弾接しており、この状態において、信号用接点４３とコモン接点４５の間すなわち信号用端子４９Ａと共通端子４８の間が短絡されていて、信号用端子４９Ｂはオープン状態である。
【００５８】
そして、この状態から操作軸２１の上端部に装着した操作つまみ１６を左方向に回転操作すると、操作軸２１の回転動作に伴って回転体４０が回転させられ、その下面に保持された可動弾性接点４２の四つの弾性接点はそれぞれケース４１の内底面上に弾接しながら、図１１に矢印で示すように回転摺動し、同図に示す位置まで来ると、弾性接点４２Ｃはケース４１内底面の絶縁樹脂部に、弾性接点４２Ｄはコモン接点４５にそれぞれ弾接したままであるが、弾性接点４２Ａは信号用接点４３の櫛歯部４３Ａから離れて絶縁部に、弾性接点４２Ｂは信号用接点４４の櫛歯部４４Ａにそれぞれ弾接するようになり、この状態において、信号用接点４４とコモン接点４５の間すなわち信号用端子４９Ｂと共通端子４８の間が短絡され、信号用端子４９Ａはオープン状態となる。
【００５９】
このようにして、操作つまみ１６の回転操作に合わせて、順次共通端子４８と信号用端子４９Ａまたは４９Ｂの間で、短絡状態とオープン状態を繰り返し、パルス信号を発生してエンコーダとして機能する。
【００６０】
そして、弾性接点４２Ａが信号用接点４３の端部を離れてコモン接点４５に弾接するようになると、今度は弾性接点４２Ｂが信号用接点４３に弾接し、信号用接点４４には弾性接点４２Ｃが弾接するようになり、引き続きパルス信号を発生していく。
【００６１】
この時に、共通端子４８と信号用端子４９Ａまたは４９Ｂとの間で発生するパルス信号には、信号用接点４３と４４の間の間隔分の位相差があるので、この位相差を使用機器の回路で検知し、回転操作した方向を認識することができるものであり、また、この回転操作時に操作軸２１は上下方向には動かず、スイッチ部は動作しない。
【００６２】
次に、操作つまみ１６を押圧操作して操作軸２１を下方へ動かす場合のスイッチ部の動作は、従来の技術によるものと同じであるので、説明を省略する。
【００６３】
以上のように本実施の形態によれば、エンコーダ部の可動接点としての可動弾性接点４２の四つの弾性接点４２Ａ〜４２Ｄ、および固定接点としての二つの信号用接点４３，４４とコモン接点４５が同一半径上に設けられるので、回転体４０とケース４１および軸受３９の外径寸法すなわちプッシュスイッチ付回転型エンコーダ全体の外径寸法を小さくできると共に、二つの信号用接点４３，４４が位相差分だけの角度間隔をあけて配設されていることによって、使用機器の回路でエンコーダ部の回転方向を認識することができると共に、スイッチ部の外側固定接点４６Ｂとエンコーダ部のコモン接点４５が、プッシュスイッチ付回転型エンコーダ自体であらかじめ導通されているので、使用機器の配線基板５２における接続部の数が少なく配線も簡単なプッシュスイッチ付回転型エンコーダを実現できるという効果を有するものである。
【００６４】
なお、本実施の形態におけるプッシュスイッチ付回転型エンコーダにおいても、共通端子４８を導出する位置を、実施の形態２で説明したもののようにすることによって、使用機器の配線基板に対する接続部の数を更に少なくすることができる。
【００６５】
【発明の効果】
以上のように本発明によれば、エンコーダ部の可動接点としての四つの弾性接点、および固定接点としての二つの信号用接点とコモン接点が同一半径上に設けられるので、回転体およびケースを小さい外径寸法にできると共に、二つの信号用接点が位相差分だけの角度間隔をあけて配設されていることによって、使用機器の回路でエンコーダ部の回転方向を認識することができると共に、スイッチ部の一対の固定接点とエンコーダ部の複数の固定接点が一つのケースの略同一面に配設され、そのスイッチ部の一対の固定接点の一方とエンコーダ部のコモン接点がケースの底面においてあらかじめ電気的に導通されているので、高さ寸法が小さいと共に、使用機器の配線基板における接続部の数が少なく配線も簡単なプッシュスイッチ付回転型エンコーダを実現できるという有利な効果が得られる。
【図面の簡単な説明】
【図１】本発明の第１の実施の形態によるプッシュスイッチ付回転型エンコーダの正面断面図
【図２】図１のＰ−Ｐ線における断面図
【図３】同分解断面図
【図４】本発明の第２の実施の形態によるプッシュスイッチ付回転型エンコーダの正面断面図
【図５】図４のＱ−Ｑ線における断面図
【図６】本発明の第３の実施の形態によるプッシュスイッチ付回転型エンコーダの正面断面図
【図７】図６のＲ−Ｒ線における断面図
【図８】同エンコーダ部の可動弾性接点の平面図
【図９】同固定接点部を打抜き加工した金属薄板の平面図
【図１０】図７と図８を組合せたエンコーダ部の接点部の平面図
【図１１】図１０の可動弾性接点が回転した状態を示す平面図
【図１２】従来のプッシュスイッチ付回転型エンコーダの正面断面図
【図１３】図１２のＳ−Ｓ線における断面図
【図１４】同分解断面図
【図１５】同押圧操作時の正面断面図
【符号の説明】
２，３９  軸受
２Ａ，３９Ａ  円形孔
４  ワッシャ
６  接点板
１１  ドーム状可動接点
１３  プッシュ板
１６  操作つまみ
２１  操作軸
２１Ａ  中間円形部
２１Ｂ  非円形部
２１Ｃ  下端部
２２，４０  回転体
２２Ａ，４０Ａ  非円形孔
２２Ｂ  円板部
２３，３１，４１  ケース
２４Ａ，３３Ａ  コモン弾性接点
２４Ｂ，２４Ｃ  信号用弾性接点
２５Ａ，４６Ａ  中央固定接点
２５Ｂ，３２Ｂ，４６Ｂ  外側固定接点
２６，３４，４７  スイッチ端子
２７，３５，４８  共通端子
２８Ａ，２８Ｂ，３６Ａ，３６Ｂ，４９Ａ，４９Ｂ  信号用端子
２９，５１  取付金具
２９Ａ，５１Ａ  爪部
２９Ｂ，５１Ｂ  脚部
３０，３７，５２  配線基板
３０Ａ，５２Ａ  第一取付孔
３０Ｂ，５２Ｂ  第二取付孔
３０Ｃ，３８，５２Ｃ  第三取付孔
４２  可動弾性接点
４２Ａ〜４２Ｄ  弾性接点
４３，４４  信号用接点
４３Ａ，４４Ａ  櫛歯部
４５  コモン接点
５０  リード部
【図１】
0003932778.tif 000002
【図２】
0003932778.tif 000003
【図３】
0003932778.tif 000004
【図４】
0003932778.tif 000005
【図５】
0003932778.tif 000006
【図６】
0003932778.tif 000007
【図７】
0003932778.tif 000008
【図８】
0003932778.tif 000009
【図９】
0003932778.tif 000010
【図１０】
0003932778.tif 000011
【図１１】
0003932778.tif 000012
【図１２】
0003932778.tif 000013
【図１３】
0003932778.tif 000014
【図１４】
0003932778.tif 000015
【図１５】
0003932778.tif 000016